(57)【特許請求の範囲】
【請求項１】
ドア枠の室内側に固定される収納部を有する中空の第１基体と、その第１基体の収納部に突出入可能に装着した膨出頭部を有する受杆と、ドアの室内側に固定される第２基体と、その第２基体に水平面内で揺動可能に枢着され、受杆の膨出頭部が挿通される挿通部及び受杆が摺動可能に嵌合される案内長孔を連設した連結杆と、前記の第１基体の収納部内に装着され、受杆を第１基体の収納部から突出する方向に付勢させる突出ばねと、第１基体と受杆との間に設けられ、受杆の抜け出しを阻止するストッパ手段と、第１基体と受杆との間に設けられ、受杆を収納状態において選択的に係止する係止手段とから成り、連結杆を手で受杆方向に倒し、受杆の膨出頭部が連結杆の挿通部を突き抜けた状態で扉或いは引戸を開けることにより受杆を案内長孔に嵌合させるようにしたドアガードにおいて、第１基体の外側に中央部を揺動可能に枢着した解除レバーを設け、その解除レバーの一端には連結杆を受杆側に倒したとき挿通部が当接する作用部を設けると共に、他端には該解除レバーの揺動に伴って受杆の膨出頭部に係合して上記係止手段の係止状態を解除する係合部を設けたことを特徴とするドアガード。
【発明の詳細な説明】
【０００１】
【発明の属する技術分野】
この発明は、ドアの開放度合を制限して来訪者の確認や郵便物の受渡し等を安全に行えるようにしたドアガードに関し、特に、ドアガードの不使用時、近くを通る人がぶつからないようにするために、受杆を第１基体の収納部に没入させるようにしたドアガードの改良に関する。
【０００２】
【従来の技術】
従来のこの種のドアガードとしては、ドア枠又はドアの室内側に固定される収納部を有する中空の第１基体と、その第１基体の収納部に突出入可能に装着した膨出頭部を有する受杆と、ドア又はドア枠の室内側に固定される第２基体と、その第２基体に揺動可能に枢着され、受杆の膨出頭部が挿通がされる挿通部及び受杆が摺動可能に嵌合される案内長孔を連設した連結杆と、前記の第１基体の収納部内に装着され、受杆を第１基体の収納部から突出する方向に付勢させる突出ばねと、第１基体と受杆との間に設けられ、受杆の抜け出しを阻止するストッパ手段と、第１基体と受杆との間に設けられ、受杆を収納状態において選択的に係止する係止手段とから成るものを挙げることができ、このようなドアガードは、例えば、実開平６−８２３４２号公報、特開平６−２３８７３１号公報又は特開平８−１００５５７号公報等に示されており、公知である。
【０００３】
そして、前出の特開平８−１００５５７号公報に記載されたドアガードにおいては、連結杆を不使用位置から使用位置（作動位置）に手で揺動変位させた時、収納位置（没入位置）に係止手段をもって拘束された受杆の係止状態を自動的に解除させる受杆の係止状態自動解除装置が付設されている。
【０００４】
しかしながら、その自動解除装置は、ストッパ部材（係止部材）及びスプリングから成る係止手段にスライド型の解除ピンを複雑に組み合わせて成り、ストッパ部材、スプリング及び解除ピンはいずれも第１基体内に装着しなければならず、全体の構造が極めて複雑になるという改良すべき問題点を残している。
【０００５】
【発明が解決しようとする課題】
この発明のドアガードは、連結杆を不使用位置から使用位置に手で揺動させた時、収納位置に係止手段をもって拘束された受杆の係止状態を自動的に解除させて、その時間を作動位置に突出させる機能を有しているに関わらず、その構造を一段と簡単にすることを目的として提案されたものである。
【０００６】
【課題を解決するための手段】
上記の目的をと達成するため、この発明は、ドア枠の室内側に固定される収納部を有する中空の第１基体と、その第１基体の収納部に突出入可能に装着した膨出頭部を有する受杆と、ドアの室内側に固定される第２基体と、その第２基体に水平面内で揺動可能に枢着され、受杆の膨出頭部が挿通される挿通部及び受杆が摺動可能に嵌合される案内長孔を連設した連結杆と、前記の第１基体の収納部内に装着され、受杆を第１基体の収納部から突出する方向に付勢させる突出ばねと、第１基体と受杆との間に設けられ、受杆の抜け出しを阻止するストッパ手段と、第１基体と受杆との間に設けられ、受杆を収納状態において選択的に係止する係止手段とから成り、連結杆を手で受杆方向に倒し、受杆の膨出頭部が連結杆の挿通部を突き抜けた状態で扉或いは引戸を開けることにより受杆を案内長孔に嵌合させるようにしたドアガードにおいて、第１基体の外側に中央部を揺動可能に枢着した解除レバーを設け、その解除レバーの一端には連結杆を受杆側に倒したとき挿通部が当接する作用部を設けると共に、他端には該解除レバーの揺動に伴って受杆の膨出頭部に係合して上記係止手段の係止状態を解除する係合部を設けたことを特徴とする。
【０００７】
【発明の実施の形態】
以下、図面に示す実施例に基いてこの発明について説明する。
この発明のドアガードは、回転型の扉又は引戸のいずれであっても採用できる
。
【０００８】
図１〜図４において、符号１０はドア枠、２０はドア枠１０に設けたドアガード取付用の掘込み部、１はドア枠１０又はドアの室内側に固定される第１基体である。
【０００９】
第１基体１は取付用フランジ１３を有する前方部材１１及び後方部材１２を一体的に固設して成り、また、第１基体は収納部１４を有し、中空に形成してある。
【００１０】
図示例の第１基体１のドア枠１０に対する取付けは、ドア枠１０の掘込み部２０において取付け用フラジ３を介しねじ９１で固定することにより行われている
。
【００１１】
そして、先端に膨出頭部２１を有する受杆２の基端側は前記の第１基体１における収納部１４に突出入可能に装着されている。
【００１２】
ドア又はドア枠の室内側に固定される第２基体（図示しない）には、周知のように例えばＵ字状をなす連結杆３が揺動可能に枢着してある。
【００１３】
連結杆３は、基端部に受杆２の膨出頭部２１が挿通される挿通部３１を有し、先端側に前記挿通部３１に連設され、受杆２が摺動可能に嵌合（係合）される案内長孔３２を有する。
【００１４】
上述のように第１基体１の収納部１４に可動に嵌め込まれた受杆２は、第１基体１の収納部１４の奥側に装着された圧縮ばねその他の突出ばね４により後方から押され、該収納部１４から突出する方向に付勢されている。
【００１５】
符号４１は第１基体１の収納部１４の内底に突設した圧縮ばね４の案内棒、２２は受杆２の基端（内端）側に設けた圧縮ばね４の受け孔である。
【００１６】
図４に示すように、受杆２の第１基体１の収納部１４からの抜け出しは、第１基体１と受杆２との間に設けた任意のストッパ手段５によって阻止される。図示例のストッパ手段５は受杆２の基端部に設けた突片で、これが収納部１４の開口の周縁部に衝合することにより、受杆２の抜け出しが阻止される。
【００１７】
また、図４に示すように、第１基体１と受杆２との間には、例えば、第１基体１の収納部１４の開口縁部分に一体に設けた係止突片６１と受杆２における膨出頭部２１の真後に相当する部分に設けた係入孔６２とから成る係止手段６が備えてある。
【００１８】
この係止手段６は、受杆２が手指で押されて第１基体１の収納部１４に突出ばね４の付勢力に抗して収納された際、係止手段６と反対側における収納部１４に設けたＵ字ばね等の押しばね７により、受杆２が収納部１４の軸線に対し傾斜するところとなるので、自動的に作動する。
【００１９】
但し、押しばね７を持たないものにあっては、受杆２を収納部１４に手指で押し込んだ後、受杆２の膨出頭部２１を図４で矢印Ｃ方向に少し押してやれば、係止手段６は係合状態となって、受杆２はそのまま収納位置に保たれる。
【００２０】
次にこの発明の主要部について説明する。
上記の第１基体１の先端部における外側部と取付用フランジ１３に一体に突設した取付片１５との間は、枢軸８１の回りに揺動可能な例えば板状をなす解除レバー８を枢着する。
【００２１】
図５に明示するように、その解除レバー８の一端には、連結杆３を不使用位置から作動位置に変位操作する際にその位置が当接する作用部８２を一体に又は別体として設けると共に、そのレバー８の他端には、該レバー８の揺動に伴って受杆２の膨出頭部２１に後方から係合して上記係止手段６の係止状態を解除する係合部８３を一体に又は別体として設ける。
【００２２】
図示例の解除レバー８は、板状をなす本体部分の両端においてそれぞれ逆方向にして直角に一体の突片を突設し、一方を作用部８２とし、他方を係合部８３としてある。
【００２３】
図１〜図４において、受杆２はいずれも第１基体１に対し収納位置（没入位置）にあり、これを作動位置に突出させるには、ドア又はドア枠に取り付けられた連結杆３を不使用位置から使用位置に手で揺動させてやればよい（図１に鎖線で示す連結杆３は使用位置での状態を表している）。
【００２４】
連結杆３を使用位置（作動位置）に迄手で揺動させてやると、その一部が図２及び図３において矢印Ａで示すように解除レバー８の作用部８２を押圧し、解除レバー８を枢軸８１の回りに揺動させることになる。
【００２５】
ここに、解除レバー８の係合部８３は図４の矢印Ｂで示すように係止手段６の係止状態（係合状態）を解除する方向に受杆２の膨出頭部２１を押し上げることになるので、係止手段６が外れ、受杆２は突出ばね４の付勢により図３及び図４に鎖線で示す作動位置に自動的に突出することになる。
【００２６】
この受杆２の突出位置はストッパ手段５で保持される。この状態では、連結杆３及び受杆２はいずれもドアガードの作動位置にあるので、両者の係合関係によりドアは開放度合が小さく制限されることになる。
【００２７】
なお、受杆２を収納位置（没入位置）に戻すには、上述した通りの操作を行えばよい。
【００２８】
【発明の効果】
以上に説明したこの発明のドアガードは、連結杆を不使用位置から使用位置に手で揺動させた時、第１基体における収納位置に係止手段をもって拘束されていた受杆の係止状態を解除レバーにより自動的に解除させて、その受杆を作動位置に突出させる機能を有しているに関わらず、構造が極めて簡単であるという効果を奏する。
【図面の簡単な説明】
【図１】この発明のドアガードの実施例を示す正面図。
【図２】その平面図。
【図３】その部分縦断側面図。
【図４】図３のIV−IV線による断面図。
【図５】図１のドアガードから取り外した解除レバーの拡大斜視図。
【符号の説明】
１０  ドア枠
１  第１基体
１４  収納部
２  受杆
２１  膨出頭部
３  連結杆
３１  挿通部
３２  案内長孔
４  突出ばね
５  ストッパ手段
６  係止手段
８  解除レバー
８２  作用部
８３  係合部
【図１】
0003774004.tif 000002
【図２】
0003774004.tif 000003
【図３】
0003774004.tif 000004
【図４】
0003774004.tif 000005
【図５】
0003774004.tif 000006